(57)【特許請求の範囲】
【請求項１】
ディスク押さえ用クランパ及び駆動力伝達ギアとを有する第２のシャーシと、
ディスク回転用のスピンドルモータ及び前記駆動力伝達ギアに駆動力を伝える駆動源となるＤＣモータとを搭載した第１のシャーシとが、回動軸回りに開閉可能に組み合わされてなるピックアップユニット装置であって、
前記ＤＣモータの駆動軸にはウォームギアを設け、このウォームギアと噛み合う中間ギアを前記第２のシャーシから設けて該中間ギアを介して前記駆動力伝達ギアに駆動力を伝達させ、前記第１のシャーシと前記第２のシャーシとを互いに当接させると共に、前記ＤＣモータの駆動軸の軸芯と前記回動軸の軸芯とを同一線上に配置したことを特徴とするピックアップユニット装置。
【請求項２】
請求項１記載において、前記ＤＣモータは、その本体外面に互いに平行な平坦面を有すると共に、前記平坦面を、前記第１のシャーシと前記第２のシャーシが開状態の時に、挿入されてくるトレーもしくはディスクの下面に平行になる状態で前記第１のシャーシに取り付けたことを特徴とするピックアップユニット装置。
【請求項３】
請求項１記載において、前記第１のシャーシと前記第２のシャーシとを連結している連結ピンを前記両シャーシの板厚方向にスライド可能としたことを特徴とするピックアップユニット装置。
【請求項４】
請求項３記載において、前記連結ピンは、バネ部材により、前記第１のシャーシと前記第２のシャーシとを連結させる方向に付勢されていることを特徴とするピックアップユニット装置。
【発明の詳細な説明】
【０００１】
【発明の属する技術分野】
本発明は、記録媒体を出入口から挿入・排出させ、記録及び再生，あるいは記録又は再生を行う記録／再生装置のピックアップユニット装置に関する。
【０００２】
【従来の技術】
このような記録／再生装置、例えば、ＣＤプレーヤー、ＣＤ−ＲＯＭチェンジャーは、トレー上に載置されたディスクを挿入して、ディスクをチャッキングし駆動するようになっている。
一般に、例えばＣＤ−ＲＯＭチェンジャーでは、箱形状の筐体内部に、ディスク設置部と、機構部とが設けられ、ディスク設置部にはトレー式マガジンが挿入口から装填される。
ＣＤ−ＲＯＭチェンジャーは、ディスク設置部に装填されたマガジンＭ内の複数のトレーのうちの選択されたトレーがトレーロード機構により引き出されて、機構部内のピックアップユニット装置内でディスクがクランプされ、ピックアップユニット装置のターンテーブルによってディスクは回転駆動される。
ピックアップユニット装置は、ピックアップ及びディスク回転用のスピンドルモータとを搭載したピックアップシャーシと、ディスク押さえ用クランパ及び駆動力伝達ギア及びその駆動源となるＤＣモータとを有する移動シャーシとを有している。
【０００３】
【発明が解決しようとする課題】
ところが、前記従来技術では、移動シャーシ上にＤＣモータを搭載してあると、ＤＣモータ部分が突出して薄型化の支障となる。そこで、ＤＣモータをピックアップシャーシに搭載させて、ＤＣモータの駆動力をギアを介して移動シャーシ側の駆動力伝達ギアに伝達させている。
ところで、このようなピックアップシャーシと移動シャーシとを回動軸回りに開閉可能と構成した場合に、上述したように駆動力伝達ギアと駆動力伝達ギアを駆動するＤＣモータを別々のシャーシに配設してあると、ＤＣモータと駆動力伝達ギアとの間で傾くので、ユニバーサルジョイント等が必要となって構造が複雑になってコスト高となるばかりか、駆動力の伝達の信頼性も不安定であった。
【０００４】
本発明の目的は、第１のシャーシと第２のシャーシが回動軸回りに開閉可能に組み合わされてなるピックアップユニット装置で、薄型化、あるいは小型化等のために駆動力伝達ギアと駆動力伝達ギアを駆動するＤＣモータを別々のシャーシに配設しても、簡単な構成で、両シャーシの開あるいは閉状態に拘らずウォームギアと中間ギアとの噛み合いが維持されてＤＣモータの駆動力が駆動力伝達ギアに確実に伝達され、駆動力伝達ギアに基づく動作の信頼性が向上するピックアップユニット装置を提供することである。
本発明の目的は、第１のシャーシと第２のシャーシの開状態で、挿入されたトレーとＤＣモータとの間にクリアランスが確保され、トレー及びディスクがＤＣモータの本体外面に突き当たることなく挿入でき、更に薄型化を図ることができるピックアップユニット装置を提供することである。
本発明の目的は、連結ピンをスライドして第１のシャーシと第２のシャーシの連結を外せて、第１のシャーシと第２のシャーシの組立及び解体が容易にできて、シャーシに搭載した部品の交換、修理を効率的に行えるピックアップユニット装置を提供することである。
本発明の目的は、バネ部材に抗して連結ピンを押し込むことにより第１のシャーシと第２のシャーシの組立及び解体が容易にできるとともに、別段の抜け止め固定具を必要とすることなく、組立後の連結ピンはバネ部材のバネ力によって確実に連結されているピックアップユニット装置を提供することである。
【０００５】
【課題を解決するための手段】
上記目的は、ディスク押さえ用クランパ及び駆動力伝達ギアとを有する第２のシャーシと、ディスク回転用のスピンドルモータ及び前記駆動力伝達ギアに駆動力を伝える駆動源となるＤＣモータとを搭載した第１のシャーシとが、回動軸回りに開閉可能に組み合わされてなるピックアップユニット装置であって、前記ＤＣモータの駆動軸にはウォームギアを設け、このウォームギアと噛み合う中間ギアを前記第２のシャーシから設けて該中間ギアを介して前記駆動力伝達ギアに駆動力を伝達させ、前記第１のシャーシと前記第２のシャーシとを互いに当接させると共に、前記ＤＣモータの駆動軸の軸芯と前記回動軸の軸芯とを同一線上に配置した第１の手段により達成される。
上記目的は、第１の手段において、前記ＤＣモータは、その本体外面に互いに平行な平坦面を有すると共に、前記平坦面を、前記第１のシャーシと前記第２のシャーシが開状態の時に、挿入されてくるトレーもしくはディスクの下面に平行になる状態で前記第１のシャーシに取り付けた第２の手段により達成される。
上記目的は、第１の手段において、前記第１のシャーシと前記第２のシャーシとを連結している連結ピンを前記両シャーシの板厚方向にスライド可能とした第３の手段により達成される。
上記目的は、第３の手段において、前記連結ピンは、バネ部材により、前記第１のシャーシと前記第２のシャーシとを連結させる方向に付勢されている第４の手段により達成される。
【０００６】
【発明の実施の形態】
以下、本発明の実施の形態について説明する。
図１は本発明に係るピックアップユニット装置の一実施の形態を適用したＣＤ−ＲＯＭチェンジャーの平面図、図２(a),(b)はピックアップユニット装置の閉及び開状態を示す説明図、図３はモータ部分を拡大して示す平面図、図４は図３の正面図、図５は第１のシャーシを透過して第２のシャーシを示す平面図、図６は第２のシャーシを示す平面図、図７(a),(b)は図６及び図５の連結ピン部分を拡大して示す説明図、図８は図５のＡ矢視図である。
【０００７】
これらの図において、１は筐体で、この筐体１は箱形状であり、図１に示すように、その内部に、ディスク設置部Ａと、機構部Ｂとが設けられている。ディスク設置部ＡにはマガジンＭが図１における下側から装填される。マガジンＭはトレー式であり、図１における上側がディスクＤの取出口Ｍａとなる。
このディスクチェンジャーでは、ディスク設置部Ａに装填されたマガジンＭ内の複数のトレー２のうちの選択されたトレー２が途中まで引き出され、機構部Ｂ内のディスク選択駆動部内にクランプされ、ディスクＤはその一部がマガジンＭ内に残った状態で回転駆動される。３４はマガジンエジェクト部材、３５は第２，第１のシャーシ４，５の昇降用リンク、３６はエジェクトスプリング、３７は昇降用リンク３５の駆動モータである。
機構部Ｂには、ディスク押さえ用クランパ３を配設した第２のシャーシ（トレーシャーシ）４と、その下に位置し、第２のシャーシ４に回動自在に支持された第１のシャーシ（ピックアップシャーシ）５が備えられている。第２のシャーシ４と第１のシャーシ５は筐体１の機構部Ｂ内で上下方向（図１の紙面に直交する方向）に昇降自在にガイドされている。
【０００８】
第２のシャーシ４には、トレー２に搭載されたディスクＤをチャッキングするためのディスク押さえ用クランパ３と、下方に立設した支持軸６に回転自在に支持された中間ギア７と、中間ギア７と噛み合うギア８，８等からなる駆動力伝達ギアと、駆動力伝達ギアによって駆動されるカムギア９と、カムギア９によってトレー２を引き込み、あるいは押し出すトレー移送アーム１０と、第２のシャーシ４に対して第１のシャーシ５を開閉動作させる開閉レバー１１とが配設されている。
【０００９】
第１のシャーシ５には、図５及び図６に示すように、ディスクを載置して回転駆動させるターンテーブル１２と、ターンテーブル１２を駆動軸に固定されたスピンドルモータ１３と、ターンテーブル１２によって駆動されるディスクＤの記録情報を再生する光ピックアップ１４と、光ピックアップ１４を取り付けたキャリッジ１５を移送するモータ１６及びスクリューシャフト１７を有する移送機構９が搭載されている。
【００１０】
第２のシャーシ４にはその下方で第１のシャーシ５がその一端部（図２で右端寄り）で回動軸１８によって軸支されて回動自在に支持されている。第１のシャーシ５には、回動軸１８の軸芯Ｌ２と同軸上に駆動軸１９ａの軸芯Ｌ１を配置したトレーロード用のＤＣモータ１９が搭載されている。このＤＣモータ１９の駆動軸１９ａにはウォームギア２０が嵌合固定され、ウォームギア２０には、前述した上方の第２のシャーシ４から下方に立設した支持軸６に回転自在に支持された中間ギア７が噛み合わされている。この中間ギア７は、図３及び図４に示すギア８，８等からなる駆動力伝達ギアに噛み合され、更にカムギア９を回転させてトレー移送アーム１０等からなるトレーロード機構を駆動してトレー２をロードする。
【００１１】
また、第２のシャーシ４及び第１のシャーシ５は、筐体１の底板に設けられた駆動モータ３７の動力によって昇降用リンク３５を介して図示しない昇降板等からなる昇降機構によって昇降駆動される。また、図示していない昇降位置決め機構によって第２のシャーシ４及び第１のシャーシ５は、選択されたトレー２の高さに移動して位置決めされ、前記トレーロード機構によってマガジンＭ内のトレー２を開状態の第２のシャーシ４及び第１のシャーシ５内に引き込むと、図２（ｂ）の状態となる。
【００１２】
ターンテーブル１２には、その中央に断面台形状の突起部１２ａと、外周部にフランジ部１２ｂが形成され、また、突起部１２ａにはディスク押さえ用クランパ３の磁性部に対向して磁石２１が設けられている。したがって、図２（ａ）に示すチャッキング時にはターンテーブル１２の磁石２１の磁力によってディスク押さえ用クランパ３の磁性部を吸着して、ディスクＤを挟持、チャッキングし、ディスクＤをターンテーブル１２の回転と共に回転させるようにしてある。
【００１３】
なお、図示していないが、ディスク押さえ用クランパ３の磁性部上方の第２のシャーシ４には薄板リング状の磁石が設けられており、ターンテーブル１２の磁石２１の磁力は、トレーロードが終了して第１のシャーシ５が上昇し、ターンテーブル１２が上昇してディスク押さえ用クランパ３の磁性部に近づくと、第２のシャーシ４の磁石（図示せず）の磁力に打ち勝ってターンテーブル１２を下動させるように設定されている。少なくとも、ターンテーブル１２が所定の位置まで上昇する直前からターンテーブル１２を下動させるようにしてある。
【００１４】
次に、第１のシャーシ５及び第２のシャーシ４の連結構造について説明する。第１のシャーシ５の一側面（図６で右側）には、図の上方寄りに、第２のシャーシ４の一方の側板の孔２２に挿入されて回動軸１８を構成する回動ピン２３が固定して突出され、また、第２のシャーシ４にスライド自在に配設されたスライドカム板２４のカム溝２５に挿入されるカムピン２６が固定して突設されている。
このスライドカム板２４は、スライドカム板２４に形成したガイドスリット３２，３２に挿入した第２のシャーシ４のガイドピン３３，３３等によりスライド自在にガイドされている。
【００１５】
また、第１のシャーシ５の他側面（図６で左側）には、図の上方寄りに、第２のシャーシ４の他方の側板の孔２２に挿入されて回動軸１８を構成する回動連結ピン２７が突出され、また、第２のシャーシ４にスライド自在に配設されたスライドカム板２４のカム溝２５に挿入されるカム連結ピン２８が突設されている。これらの回動連結ピン２７及びカム連結ピン２８は、第１のシャーシ５に搭載されたプラスチック製の部品２９に円筒状の弾性部３０，３０を介して一体成形されている。円筒状の弾性部３０の直径上の外周面に回動連結ピン２７あるいはカム連結ピン２８が一体に突設され、円筒状の弾性部３０の外周面の反対側で部品２９と一体化されている。したがって、回動連結ピン２７あるいはカム連結ピン２８はそれぞれの弾性部３０を押し潰す方向に移動でき、かつ押し潰すことによって弾性部３０には弾性復元力が発生し、回動連結ピン２７あるいはカム連結ピン２８を押し返す方向、つまり第１のシャーシ５と第２のシャーシ４とを連結させる方向に付勢される。３１は第１のシャーシ５の側板に穿設され、回動連結ピン２７，カム連結ピン２８がそれぞれ貫通された貫通孔である。
【００１６】
このように第２のシャーシ４に対して第１のシャーシ５は回動軸１８を構成する回動ピン２３及び回動連結ピン２７を中心にして回動自在に支持され、また、第２のシャーシ４のスライドカム板２４，２４のスライド動作によってカム溝２５，２５内をカムピン２６及びカム連結ピン２８を移動することにより、第１のシャーシ５は図２（ｂ）に示す開状態と図２（ａ）及び図８に示す閉状態に動作される。なお、スライドカム板２４，２４は開閉レバー１１によって駆動される。
【００１７】
また、本発明の実施の形態では、ＤＣモータ１９には、その本体外面に互いに平行な平坦面１９ｂ，１９ｂが設けられている。ＤＣモータ１９は、図２（ｂ）に示すように、平坦面１９ｂを、第１のシャーシ５と第２のシャーシ４が開状態の時に、挿入されてくるトレー２の下面に平行になる状態で第１のシャーシ５に取り付けられている。
図２（ｂ）に示すように、第１のシャーシ５が開状態となってマガジンＭから選択されたトレー２がトレーロードされて機構部Ｂ内に収納されている場合、第１のシャーシ５は回動軸１８を中心にして左端が下降して傾斜しているが、第１のシャーシ５に傾斜して取り付けられたＤＣモータ１９は、挿入されたトレー２の下面に対して平行になる状態となるので、トレー２もしくはトレー２内のディスクＤとＤＣモータ１９の本体外面（平坦面１９ｂ）との間にクリアランスが確保されて、トレー２及びディスクＤをＤＣモータ１９の本体外面に突き当たることなく挿入できる。
第１のシャーシ５を閉じると、第１のシャーシ５が回動軸１８を中心にして時計回り方向に回動する。すると、第１のシャーシ５の回転中心の駆動軸の軸心を同一にしているので、図２（ａ）に示すように、ＤＣモータ１９も時計回り方向に回動し、本体外面の上側の平坦面１９ｂの左端側が上昇して突出する。しかし、第１のシャーシ５の上記閉動作によってターンテーブル１２も上昇し、トレー２上のディスクＤを持ち上げながら、クランパ３と共にチャッキングする。したがって、ＤＣモータ１９の平坦面１９ｂの左端側Ｇが上昇されるが、ディスクＤも持ち上げられるので、ディスクＤとＤＣモータ１９とのクリアランスは確保されるようになっている。なお、２ａはトレー２の底面に形成された開口部であり、ディスクＤが露出している。
【００１８】
次に、前記実施の形態の組立方法についてを説明する。
図６及び図７（ａ）に示すように、第１のシャーシ５にはその側板から回動連結ピン２７及びカム連結ピン２８が弾性部３０によって突出されている。なお、第１のシャーシ５の対向する側板側の回動ピン２３及びカムピン２６は突出したままとなっている。
そして、まず、第２のシャーシ４の下方から第１のシャーシ５の一側板側の回動ピン２３及びカムピン２６を第２のシャーシ４の孔２２及びスライドカム板２４のカム溝２５にそれぞれ挿入する。
【００１９】
次いで、回動連結ピン２７及びカム連結ピン２８を弾性部３０を押し潰すように押し込んで、第１のシャーシ５の側板の内面に弾接させながら摺動して、回動連結ピン２７を孔２２に到達させると共に、カム連結ピン２８をスライドカム板２４のカム溝２５に到達させる。すると、回動連結ピン２７及びカム連結ピン２８は各弾性部３０のバネ力によって孔２２及びカム溝２５内に挿入されて、図２及び図８に示すように、第２のシャーシ４及び第１のシャーシ５は回動軸１８回りに開閉可能に組み合わされる。
また、第１のシャーシ５と第２のシャーシ４を解体する場合は、孔２２及びカム溝２５内に挿入されている回動連結ピン２７及びカム連結ピン２８を、図７（ｂ）に示すように、各弾性部３０のバネ力に抗して押し込むことにより、回動連結ピン２７及びカム連結ピン２８が第２のシャーシ４の孔２２及びカム溝２５から外れて、第２のシャーシ４と第１のシャーシ５とが解体される。
【００２０】
次に、前記実施の形態の動作について説明する。
なお、以下の説明における図２（ｂ）はマガジンＭ内の複数のトレー２からトレーを選択してトレーロードを行い、機構部Ｂ内に選択したトレー２を引き込んだ状態である。
【００２１】
図２（ｂ）の状態では、第１のシャーシ５はＤＣモータ１９の駆動により２点鎖線から実線で示す位置にスライドカム板２４をスライドさせることによってカム溝２５内に係合しているカムピン２６及びカム連結ピン２８が移動することにより傾斜され、開状態となっている。この時、第１のシャーシ５のターンテーブル１２も最下位置にあってディスク押さえ用クランパ３から離れており、ディスク押さえ用クランパ３は第２のシャーシ４の磁石（図示せず）の磁力によって第２のシャーシ４の磁石（図示せず）に吸着されている。したがって、ディスク押さえ用クランパ３はトレー２の移動範囲から上方に退避した位置にあり、また、ターンテーブル１２もトレー２の移動範囲から下方に退避した位置にあって、図で左方からターンテーブル１２とディスク押さえ用クランパ３間にトレー２を挿脱することができる。また、図２（ｂ）の状態では、ターンテーブル１２がトレー２の下方に下がっているため、ディスクＤはトレー２上に載置されている。
【００２２】
そして、図２（ｂ）の状態のように、第１のシャーシ５が回動軸１８を中心にして左端が下降して傾斜した場合に、第１のシャーシ５のＤＣモータ１９は、挿入されたトレー２の下面（もしくはトレー２の下面の開口から露出しているディスクＤの下面）に対して平行になる状態となっているので、トレー２（もしくはトレー２内のディスクＤ）とＤＣモータ１９の本体外面（平坦面１９ｂ）との間にクリアランスが確保されて、トレー２（もしくはディスクＤ）がＤＣモータ１９の本体外面に突き当たることなくトレー２を挿入でき、更に薄型化を図ることができる。
【００２３】
図２（ｂ）の状態からＤＣモータ１９を駆動してスライドカム板２４を図２（ａ）に実線で示す位置へスライドさせると、カム溝２５，２５内をカムピン２６及びカム連結ピン２８が移動して第１のシャーシ５が上動させられる。この動作によって、第１のシャーシ５のターンテーブル１２も上動させられ、ディスク押さえ用クランパ３に近づいていき、ディスクＤをチャッキングしてディスクＤはターンテーブル１２と共に回転駆動される。
このチャッキング動作の際、ターンテーブル１２によってディスクＤは、トレー２から持ち上げられて、チャッキング完了状態では、図２(a)に示すように、トレー２から離されている。
【００２４】
また、このようにチャッキング動作による第１のシャーシ５の回動軸１８を中心にした時計回り方向の回動によって、図２（ｂ）の状態からＤＣモータ１９も時計回り方向に回動し、本体外面の上側の平坦面１９ｂの左端側Ｇが上昇して突出し、平坦面１９ｂの左端側Ｇがトレー２の開口部２ａ内に進出してくるが、前述したように、ディスクＤはトレー２から浮き上がっているので、上昇した平坦面１９ｂの左端側ＧとディスクＤの下面との間にクリアランスが確保されており、ディスクＤとＤＣモータ１９とが接触して記録／再生動作に支障が出ることがない。
【００２５】
次に、ＤＣモータ１９からの駆動力の伝達経路について説明する。
図２（ａ）に示すように、第１のシャーシ５に搭載されたトレーロード用等のＤＣモータ１９の駆動力は、その駆動軸１９ａに設けられたウォームギア２０から、上方の第２のシャーシ４の支持軸６に支持された中間ギア７に伝達され、この中間ギア７から、図３及び図４に示すギア８，８等からなる駆動力伝達ギアに伝達されている。
そして、図２（ａ）の閉状態から図２（ｂ）に示す開状態へ第１のシャーシ５が回動すると、第１のシャーシ５の回動中心（回動軸１８の軸芯Ｌ１）とＤＣモータ１９のウォームギア２０（駆動軸１９ａの軸芯Ｌ２）の軸心とが同一線上に設定されているので、ウォームギア２０に噛み合わされている中間ギア７もウォームギア２０の軸心を中心にして回動することになり、つまり、第１のシャーシ５が回動しても、ウォームギア２０と中間ギア７との軸間距離は常に一定に保たれていることになる。したがって、第１のシャーシ５がどの位置にあってもＤＣモータ１９の駆動力を中間ギア７を介して駆動力伝達ギアへ伝達することができる。
【００２６】
このような前記実施の形態にあっては、ディスク回転用のスピンドルモータ１３、及び駆動源となるＤＣモータ１９とを搭載した第１のシャーシ５と、ディスク押さえ用クランパ３及び駆動力伝達ギアとを有する第２のシャーシ４とが、回動軸１８回りに開閉可能に組み合わされてなるピックアップユニット装置であって、ＤＣモータ１９の駆動軸１９ａにはウォームギア２０を設け、このウォームギア２０と噛み合う中間ギア７を第２のシャーシ４から設けて該中間ギア７を介して駆動力伝達ギアに駆動力を伝達させると共に、ＤＣモータ１９の駆動軸１９ａの軸芯Ｌ２と回動軸１８の軸芯Ｌ１とを同一線上に配置したため、第１のシャーシ５と第２のシャーシ４が回動軸１８回りに開閉可能に組み合わされてなるピックアップユニット装置で、薄型化、あるいは小型化等のために駆動力伝達ギアと駆動力伝達ギアを駆動するＤＣモータ１９を別々のシャーシ４，５に配設しても、簡単な構成で、両シャーシ４，５の開あるいは閉状態に拘らずウォームギア２０と中間ギア７との噛み合いが維持されてＤＣモータ１９の駆動力が駆動力伝達ギアに確実に伝達され、駆動力伝達ギアに基づく動作の信頼性が向上する。
【００２７】
また、前記実施の形態にあっては、ＤＣモータ１９は、その本体外面に互いに平行な平坦面１９ｂを有すると共に、平坦面１９ｂを、第１のシャーシ５と第２のシャーシ４が開状態の時に、挿入されてくるトレー２もしくはディスクＤの下面に平行になる状態で第１のシャーシ５に取り付けたため、第１のシャーシ５と第２のシャーシ４の開状態でＤＣモータ１９の平坦面１９ｂがトレー２もしくはディスクＤの下面に対して傾斜していないので、挿入されたトレー２とＤＣモータ１９との間にクリアランスが確保され、トレー２及びディスクＤがＤＣモータ１９の本体外面に突き当たることなく挿入でき、更に薄型化を図ることができる。
【００２８】
また、前記実施の形態にあっては、第１のシャーシ５と第２のシャーシ４とを連結している回動連結ピン２７及びカム連結ピン２８を両シャーシ４，５の板厚方向にスライド可能としたため、回動連結ピン２７及びカム連結ピン２８をスライドして第１のシャーシ５と第２のシャーシ４の連結を外せるので、第１のシャーシ５と第２のシャーシ４の組立及び解体が容易にできて、シャーシに搭載した部品の交換、修理を効率的に行える。
【００２９】
また、前記実施の形態にあっては、回動連結ピン２７及びカム連結ピン２８は、弾性部３０により、第１のシャーシ５と第２のシャーシ４とを連結させる方向に付勢されているため、弾性部３０のバネ力に抗して回動連結ピン２７及びカム連結ピン２８を押し込むことにより第１のシャーシ５と第２のシャーシ４の組立及び解体が容易にできるとともに、別段の抜け止め固定具を必要とすることなく、組立後の回動連結ピン２７及びカム連結ピン２８は弾性部３０のバネ力によって確実に連結されている。
【００３０】
【発明の効果】
請求項１記載の発明によれば、第１シャーシと第２のシャーシが回動軸回りに開閉可能に組み合わされてなるピックアップユニット装置で、薄型化、あるいは小型化等のために駆動力伝達ギアと駆動力伝達ギアを駆動するＤＣモータを別々のシャーシに配設しても、簡単な構成で、両シャーシの開あるいは閉状態に拘らずウォームギアと中間ギアとの噛み合いが維持されてＤＣモータの駆動力が駆動力伝達ギアに確実に伝達され、駆動力伝達ギアに基づく動作の信頼性が向上する。
【００３１】
請求項２記載の発明によれば、請求項１記載の発明による作用効果に加えて、ＤＣモータは、その本体外面に互いに平行な平坦面を有すると共に、平坦面を、第１シャーシと第２シャーシが開状態の時に、挿入されてくるトレーもしくはディスクの下面に平行になる状態で第１シャーシに取り付けたため、第１シャーシと第２シャーシの開状態でＤＣモータの平坦面がトレーもしくはディスクの下面に対して傾斜していないので、挿入されたトレーとＤＣモータとの間にクリアランスが確保され、トレー及びディスクがＤＣモータの本体外面に突き当たることなく挿入でき、更に薄型化を図ることができる。
【００３２】
請求項３記載の発明によれば、請求項１記載の発明による作用効果に加えて、前記第１シャーシと前記第２シャーシとを連結している連結ピンを前記両シャーシの板厚方向にスライド可能としたため、連結ピンをスライドして第１シャーシと第２シャーシの連結を外せるので、第１のシャーシと第２のシャーシの組立及び解体が容易にできて、シャーシに搭載した部品の交換、修理を効率的に行える。
【００３３】
請求項４記載の発明によれば、請求項３記載の発明による作用効果に加えて、連結ピンは、バネ部材により、第１シャーシと第２シャーシとを連結させる方向に付勢されているため、バネ部材に抗して連結ピンを押し込むことにより第１のシャーシと第２のシャーシの組立及び解体が容易にできるとともに、別段の抜け止め固定具を必要とすることなく、組立後の連結ピンはバネ部材のバネ力によって確実に連結されている。
【図面の簡単な説明】
【図１】本発明に係るピックアップユニット装置の一実施の形態を適用したＣＤ−ＲＯＭチェンジャーの平面図である。
【図２】  (a),(b)はピックアップユニット装置の閉及び開状態を示す説明図である。
【図３】モータ部分を拡大して示す平面図である。
【図４】図３の正面図である。
【図５】第１シャーシを透過して第２シャーシを示す平面図である。
【図６】第２シャーシを示す平面図である。
【図７】  (a),(b)は図６及び図５の連結ピン部分を拡大して示す説明図である。
【図８】図５のＡ矢視図である。
【符号の説明】
２  トレー
３  ディスク押さえ用クランパ
４  第２のシャーシ
５  第１のシャーシ
７  中間ギア
１３  スピンドルモータ
１８  回動軸
１９  ＤＣモータ
１９ａ  駆動軸
１９ｂ  平坦面
２０  ウォームギア
２７  回動連結ピン
２８  カム連結ピン
３０  弾性部
Ｌ１，Ｌ２  軸芯
Ｄ  ディスク
【図１】
0003673364.tif 000002
【図２】
0003673364.tif 000003
【図３】
0003673364.tif 000004
【図４】
0003673364.tif 000005
【図５】
0003673364.tif 000006
【図６】
0003673364.tif 000007
【図７】
0003673364.tif 000008
【図８】
0003673364.tif 000009